(57)【要約】【課題】視覚的に楽しむことができるのみならず、聴覚的にも楽しむことができ、さらに、実用性をも備える画像表示装置等を提供する。【解決手段】撮影された時計台の撮影画像を絵画風画像５２に変換する（ａ）。撮影画像のうち、時刻表示部画像５３を認識し、この認識された時刻表示部画像５３の位置を表す座標位置を記憶した上で、時刻表示部画像５３に対応する内蔵時刻表示部画像Ｎ１を、予めＲＯＭに記憶されている複数の内蔵時刻表示部画像の中から選択する。この選択された内蔵時刻表示部画像Ｎ１を絵画風画像５２の前記座標位置に貼り付け合成したあと、この貼り付け合成された内蔵時刻表示部画像Ｎ１を、現在時刻に従って、順次、差替えて表示させる。また、撮影された前記時計台の鐘の音をサーバーからダウンロードし、予め定められた時刻となった際に、スピーカ１５から前記鐘の音を発生させる。【選択図】図１
2012093923.tif 000002
【特許請求の範囲】
【請求項１】
記憶部、時計部、表示部および放音部を備えている画像表示装置であって、
撮影手段と、
この撮影手段により撮影された建造物の撮影画像を絵画風画像に変換する画像変換手段と、
前記撮影手段による前記撮影画像の撮影位置を示す位置情報を取得する位置情報取得手段と、
この位置情報取得手段により取得した位置情報をサーバー装置に送信する送信手段と、
この送信手段が前記位置情報を送信した後に、前記サーバー装置から送信されてくる前記建造物が発生させる鐘の音の音データを受信する受信手段と、
この受信手段により受信された前記音データを前記記憶部に記憶する記憶制御手段と、
前記画像変換手段により変換された絵画風画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御手段と、
を備えることを特徴とする画像表示装置。
【請求項２】
前記撮影位置から前記建造物の位置までの距離を測定する距離測定手段をさらに備え、
前記記憶手段は、前記距離測定手段により測定された前記距離をさらに記憶し、
前記制御手段は、前記記憶手段に記憶されている前記距離に応じた音量で、前記放音部による鐘の音の発生を制御することを特徴とする請求項１記載の画像表示装置。
【請求項３】
前記撮影画像は、時計台、寺院などの鐘の音を発生させる建造物の画像であることを特徴とする請求項１または２記載の画像表示装置。
【請求項４】
記憶部、時計部と表示部、および放音部を備えている画像表示装置であって、
撮影手段と、
この撮影手段により撮影された建造物の撮影画像の撮影位置を示す位置情報を取得する位置情報取得手段と、
この位置情報取得手段により取得した位置情報をサーバー装置に送信する送信手段と、
この送信手段が前記位置情報を送信した後に、前記サーバー装置から送信されてくる前記建造物が発生させる鐘の音の音データを受信する受信手段と、
この受信手段により受信された前記音データを前記記憶部に記憶する記憶制御手段と、
前記撮影手段により撮影された画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御手段と、
を備えることを特徴とする画像表示装置。
【請求項５】
時計部、表示部、放音部および撮影手段を備えている外部機器とネットワークを介して接続されるサーバー装置であって、
前記外部機器から送信された前記撮影手段の撮影位置を示す位置情報を受信する受信手段と、
位置情報と建造物が発生させる鐘の音の音データとを対応付けて複数組記憶している記憶手段と、
前記受信手段により受信した位置情報に対応する鐘の音の音データを前記記憶手段から読み出し、この読み出された前記鐘の音の音データを前記外部機器に送信する送信手段と、
を備えることを特徴とするサーバー装置。
【請求項６】
前記記憶手段は、前記位置情報と対応付けて前記建造物の名称をさらに記憶し、
前記送信手段は、前記受信手段により受信した位置情報に対応する鐘の音の音データと建造物の名称とを前記記憶手段から読み出し、この読み出された前記鐘の音の音データ建造物の名称とを前記外部機器に送信することを特徴とする請求項５記載のサーバー装置。
【請求項７】
時計部、表示部、放音部および撮影手段を備えている外部機器とネットワークを介して接続されるサーバー装置であって、
前記外部機器から送信される前記撮影手段により撮影された建造物の撮影画像とその撮影位置を示す位置情報とを受信する受信手段と、
この受信手段により受信された建造物の撮影画像を絵画風画像に変換する画像変換手段と、
位置情報と建造物が発生させる鐘の音の音データとを対応付けて複数組記憶している記憶手段と、
前記受信手段により受信した位置情報に対応する鐘の音の音データを前記記憶手段から読み出し、この読み出された前記鐘の音の音データと、前記画像変換手段により変換された絵画風画像とを前記外部機器に送信する送信手段と、
を備えることを特徴とするサーバー装置。
【請求項８】
記憶部、時計部、表示部および放音部を備えている装置における画像表示方法であって、
撮影ステップと、
この撮影ステップにより撮影された建造物の撮影画像を絵画風画像に変換する画像変換ステップと、
前記撮影ステップによる前記撮影画像の撮影位置を示す位置情報を取得する位置情報取得ステップと、
この位置情報取得ステップにより取得した位置情報をサーバー装置に送信する送信ステップと、
この送信ステップで前記位置情報を送信した後に、前記サーバー装置から送信されてくる前記建造物が発生させる鐘の音の音データを受信する受信ステップと、
この受信ステップにより受信された前記音データを前記記憶部に記憶する記憶制御ステップと、
前記画像変換ステップにより変換された絵画風画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御ステップと、
を含むことを特徴とする画像表示方法。
【請求項９】
記憶部、時計部と表示部、および放音部を備えている装置における画像表示方法であって、
撮影ステップと、
この撮影ステップにより撮影された建造物の撮影画像の撮影位置を示す位置情報を取得する位置情報取得ステップと、
この位置情報取得ステップにより取得した位置情報をサーバー装置に送信する送信ステップと、
この送信ステップで前記位置情報を送信した後に、前記サーバー装置から送信されてくる前記建造物が発生させる鐘の音の音データを受信する受信ステップと、
この受信ステップにより受信された前記音データを前記記憶部に記憶する記憶制御ステップと、
前記撮影ステップにより撮影された画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御ステップと、
を含むことを特徴とする画像表示方法。
【請求項１０】
時計部、表示部、放音部および撮影手段を備えている外部機器とネットワークを介して接続されるサーバー装置の制御方法であって、
前記外部機器から送信された前記撮影ステップの撮影位置を示す位置情報を受信する受信ステップと、
位置情報と建造物が発生させる鐘の音の音データとを対応付けて複数組記憶している記憶手段から、前記受信ステップにより受信した位置情報に対応する鐘の音の音データを読み出し、この読み出された前記鐘の音の音データを前記外部機器に送信する送信ステップと、
を含むことを特徴とするサーバー装置の制御方法。
【請求項１１】
時計部、表示部、放音部および撮影ステップを備えている外部機器とネットワークを介して接続されるサーバー装置の制御方法であって、
前記外部機器から送信される前記撮影ステップにより撮影された建造物の撮影画像とその撮影位置を示す位置情報とを受信する受信ステップと、
この受信ステップにより受信された建造物の撮影画像を絵画風画像に変換する画像変換ステップと、
位置情報と建造物が発生させる鐘の音の音データとを対応付けて複数組記憶している記憶手段から、前記受信ステップにより受信した位置情報に対応する鐘の音の音データを読み出し、この読み出された前記鐘の音の音データと、前記画像変換ステップにより変換された絵画風画像とを前記外部機器に送信する送信ステップと、
を含むことを特徴とするサーバー装置の制御方法。
【発明の詳細な説明】
【技術分野】
【０００１】
本発明は、撮影された画像を表示する画像表示装置、画像表示方法、これらに用いられるサーバー装置およびサーバー制御方法に関するものである。
【背景技術】
【０００２】
従来から、人的コストと時間的コストを多くかけることなく、画家の描いた絵画に見られる特徴を擬似的に再現した絵画風画像を容易に作成する絵画風画像変換方法が知られている。
【０００３】
この絵画風画像変換方法は、処理対象である原画像の他に、実際の画家が描いた絵画の画像も入力し、画家の画像から色彩情報と筆触情報を解析する。そして、解析した情報をもとに原画像の色彩を疑似化させ、筆触を配置することにより、絵画風画像を生成するようにするものである（例えば下記特許文献１参照）。
【先行技術文献】
【特許文献】
【０００４】
【特許文献１】特開２００４−２１３５９８号公報
【発明の概要】
【発明が解決しようとする課題】
【０００５】
しかしながら、前記従来技術にあっては、生成された絵画風画像を鑑賞して楽しむことができるものの、つまり視覚的には楽しむことができるものの、聴覚的に楽しむことはできない。
【０００６】
本発明は、かかる従来の課題に鑑みてなされたものであり、視覚的に楽しむことができるのみならず、聴覚的にも楽しむことができ、さらに、実用性をも備える画像表示装置、画像表示方法、これらとともに用いるサーバー装置およびサーバー制御方法を提供することを目的とする。
【課題を解決するための手段】
【０００７】
前記課題を解決するため、請求項１記載の発明に係る画像表示装置にあっては、記憶部、時計部、表示部および放音部を備えている画像表示装置であって、撮影手段と、この撮影手段により撮影された建造物の撮影画像を絵画風画像に変換する画像変換手段と、前記撮影手段による前記撮影画像の撮影位置を示す位置情報を取得する位置情報取得手段と、この位置情報取得手段により取得した位置情報をサーバー装置に送信する送信手段と、この送信手段が前記位置情報を送信した後に、前記サーバー装置から送信されてくる前記建造物が発生させる鐘の音の音データを受信する受信手段と、この受信手段により受信された前記音データを前記記憶部に記憶する記憶制御手段と、前記画像変換手段により変換された絵画風画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御手段と、を備えることを特徴とする。
【０００８】
また、請求項２記載の発明に係る画像表示装置にあっては、前記撮影位置から前記建造物の位置までの距離を測定する距離測定手段をさらに備え、前記記憶手段は、前記距離測定手段により測定された前記距離をさらに記憶し、前記制御手段は、前記記憶手段に記憶されている前記距離に応じた音量で、前記放音部による鐘の音の発生を制御することを特徴とする。
【０００９】
また、請求項３記載の発明に係る画像表示装置にあっては、前記撮影画像は、時計台、寺院などの鐘の音を発生させる建造物の画像であることを特徴とする。
【００１０】
また、請求項４記載の発明に係る画像表示装置にあっては、記憶部、時計部と表示部、および放音部を備えている画像表示装置であって、撮影手段と、この撮影手段により撮影された建造物の撮影画像の撮影位置を示す位置情報を取得する位置情報取得手段と、この位置情報取得手段により取得した位置情報をサーバー装置に送信する送信手段と、この送信手段が前記位置情報を送信した後に、前記サーバー装置から送信されてくる前記建造物が発生させる鐘の音の音データを受信する受信手段と、この受信手段により受信された前記音データを前記記憶部に記憶する記憶制御手段と、前記撮影手段により撮影された画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御手段と、を備えることを特徴とする。
【００１１】
また、請求項５記載の発明に係るサーバー装置にあっては、時計部、表示部、放音部および撮影手段を備えている外部機器とネットワークを介して接続されるサーバー装置であって、前記外部機器から送信された前記撮影手段の撮影位置を示す位置情報を受信する受信手段と、位置情報と建造物が発生させる鐘の音の音データとを対応付けて複数組記憶している記憶手段と、前記受信手段により受信した位置情報に対応する鐘の音の音データを前記記憶手段から読み出し、この読み出された前記鐘の音の音データを前記外部機器に送信する送信手段と、を備えることを特徴とする。
【００１２】
また、請求項６記載の発明に係るサーバー装置にあっては、前記記憶手段は、前記位置情報と対応付けて前記建造物の名称をさらに記憶し、前記送信手段は、前記受信手段により受信した位置情報に対応する鐘の音の音データと建造物の名称とを前記記憶手段から読み出し、この読み出された前記鐘の音の音データ建造物の名称とを前記外部機器に送信することを特徴とする。
【００１３】
また、請求項７記載の発明に係るサーバー装置にあっては、時計部、表示部、放音部および撮影手段を備えている外部機器とネットワークを介して接続されるサーバー装置であって、前記外部機器から送信される前記撮影手段により撮影された建造物の撮影画像とその撮影位置を示す位置情報とを受信する受信手段と、この受信手段により受信された建造物の撮影画像を絵画風画像に変換する画像変換手段と、位置情報と建造物が発生させる鐘の音の音データとを対応付けて複数組記憶している記憶手段と、前記受信手段により受信した位置情報に対応する鐘の音の音データを前記記憶手段から読み出し、この読み出された前記鐘の音の音データと、前記画像変換手段により変換された絵画風画像とを前記外部機器に送信する送信手段と、を備えることを特徴とする。
【００１４】
また、請求項８記載の発明に係る画像表示方法にあっては、記憶部、時計部、表示部および放音部を備えている装置における画像表示方法であって、撮影ステップと、この撮影ステップにより撮影された建造物の撮影画像を絵画風画像に変換する画像変換ステップと、前記撮影ステップによる前記撮影画像の撮影位置を示す位置情報を取得する位置情報取得ステップと、この位置情報取得ステップにより取得した位置情報をサーバー装置に送信する送信ステップと、この送信ステップで前記位置情報を送信した後に、前記サーバー装置から送信されてくる前記建造物が発生させる鐘の音の音データを受信する受信ステップと、この受信ステップにより受信された前記音データを前記記憶部に記憶する記憶制御ステップと、前記画像変換ステップにより変換された絵画風画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御ステップと、を含むことを特徴とする。
【００１５】
また、請求項９記載の発明に係る画像表示方法にあっては、記憶部、時計部と表示部、および放音部を備えている装置における画像表示方法であって、撮影ステップと、この撮影ステップにより撮影された建造物の撮影画像の撮影位置を示す位置情報を取得する位置情報取得ステップと、この位置情報取得ステップにより取得した位置情報をサーバー装置に送信する送信ステップと、この送信ステップで前記位置情報を送信した後に、前記サーバー装置から送信されてくる前記建造物が発生させる鐘の音の音データを受信する受信ステップと、この受信ステップにより受信された前記音データを前記記憶部に記憶する記憶制御ステップと、前記撮影ステップにより撮影された画像を前記表示部に表示させた状態の下で、前記時計部により計時された現在時刻が予め定められている時刻になった際に、前記記憶部から前記音データを読み出し、この読み出した音データに基づき前記放音部による鐘の音の発生を制御する制御ステップと、を含むことを特徴とする。
【００１６】
また、請求項１０記載の発明に係るサーバー装置の制御方法にあっては、時計部、表示部、放音部および撮影手段を備えている外部機器とネットワークを介して接続されるサーバー装置の制御方法であって、前記外部機器から送信された前記撮影ステップの撮影位置を示す位置情報を受信する受信ステップと、位置情報と建造物が発生させる鐘の音の音データとを対応付けて複数組記憶している記憶手段から、前記受信ステップにより受信した位置情報に対応する鐘の音の音データを読み出し、この読み出された前記鐘の音の音データを前記外部機器に送信する送信ステップと、を含むことを特徴とする。
【００１７】
また、請求項１１記載の発明に係るサーバー装置の制御方法にあっては、時計部、表示部、放音部および撮影ステップを備えている外部機器とネットワークを介して接続されるサーバー装置の制御方法であって、前記外部機器から送信される前記撮影ステップにより撮影された建造物の撮影画像とその撮影位置を示す位置情報とを受信する受信ステップと、この受信ステップにより受信された建造物の撮影画像を絵画風画像に変換する画像変換ステップと、位置情報と建造物が発生させる鐘の音の音データとを対応付けて複数組記憶している記憶手段から、前記受信ステップにより受信した位置情報に対応する鐘の音の音データを読み出し、この読み出された前記鐘の音の音データと、前記画像変換ステップにより変換された絵画風画像とを前記外部機器に送信する送信ステップと、を含むことを特徴とする。
【発明の効果】
【００１８】
本発明によれば、視覚的に楽しむことができるのみならず、聴覚的にも楽しむことができ、さらに、実用性をも備える画像表示装置および画像表示方法を提供することができる。
【００１９】
より具体的には、たとえば、時計台等の鐘の音を発生させる建造物を撮影すると、撮影された建造物の撮影画像を自動的に絵画風画像に変換して表示することができ、かつ、絵画風画像を表示させた状態の下で、計時された現在時刻が予め定められている時刻になった際に、撮影された建造物の鐘の音を発生させることができ、撮影され絵画風画像に変換された建造物と関連させながら時刻を知ることができる。
【００２０】
あるいは、時計台等の鐘の音を発生させる建造物を撮影すると、撮影された建造物の撮影画像を表示することができ、かつ、撮影された建造物の撮影画像を表示させた状態の下で、計時された現在時刻が予め定められている時刻になった際に、撮影された建造物の鐘の音を発生させることができ、撮影された建造物と関連させながら時刻を知ることができる。
【図面の簡単な説明】
【００２１】
【図１】（ａ）は本発明の一実施の形態にかかる置時計の外観を示す正面図、（ｂ）は背面図である。
【図２】（ａ）は同置時計の機能ブロック図であり、（ｂ）はサーバーの機能ブロック図である。
【図３】（ａ）はサーバーのＲＯＭに記憶されたテーブルの概念図であり、（ｂ）は置時計のＲＡＭのメモリ構成図である。
【図４】置時計のＲＯＭに記憶されたテーブルの概念図である。
【図５】（ａ）は置時計側の処理手順を示すフローチャートであり、（ｂ）はサーバー側の処理手順を示すフローチャートである。
【図６】絵画風画像変換表示処理の手順を示すフローチャートである。
【図７】（ａ）は撮影画像の一例を示す図であり、（ｂ）は撮影画像を変換したあとの絵画風画像の一例を示す図である。
【図８】時刻表示部画像の認識処理の手順を示すフローチャートである。
【図９】（ａ）および（ｂ）は時刻表示部画像の抽出手順を示す説明図である。
【図１０】（ａ）はデジタル表示の時刻表示部画像を示す図であり、（ｂ）はデジタル表示の内蔵時刻表示部画像を示す図である。
【図１１】（ａ）〜（ｃ）は絵画風画像への変換手順を示す説明図である。
【図１２】置時計側の情報取得・データ送信処理の手順を示すフローチャートである。
【図１３】サーバー側の処理手順を示すフローチャートであり、（ａ）は情報取得・データ受信処理、（ｂ）はデータ編集処理、（ｃ）はデータ送信処理の手順を示すフローチャートである。
【図１４】置時計側の処理手順を示すフローチャートであり、（ａ）はデータ受信処理、（ｂ）は鐘音発生等処理の処理手順を示すフローチャートである。
【図１５】本発明の第２の実施の形態を示し、（ａ）は置時計側の処理手順を示すフローチャートであり、（ｂ）はサーバー側の処理手順を示すフローチャートである。
【図１６】同実施の形態に係る置時計における撮影・表示処理の手順を示すフローチャートである。
【図１７】本発明の第３の実施の形態を示し、（ａ）は置時計側の処理手順を示すフローチャートであり、（ｂ）はサーバー側の処理手順を示すフローチャートである。
【図１８】同実施の形態に係る置時計における撮影・表示処理の手順を示すフローチャートである。
【図１９】同実施の形態における絵画風画像受信・表示処理の手順を示すフローチャートである。
【発明を実施するための形態】
【００２２】
（第１の実施の形態）
以下、本発明の実施形態について説明する。図１（ａ）は、本発明の一実施の形態に係る置時計１の外観を示す正面図であり、図１（ｂ）は、同置時計１の外観を示す背面図である。
【００２３】
この置時計１は、撮影機能と放音機能とを備え、正面部には液晶表示部２が設けられ、その下部にはスピーカ１５が配置されている。また、背面部には後述する撮像部のレンズ部３が設けられているとともに、機能キー５、スライドスイッチ６等が設けられている。また、上面部にはシャッターキー４が設けられている。
【００２４】
図２（ａ）は、置時計１の機能構成図であり、同図（ｂ）はこの置時計１とインターネットを介して接続されるサーバー（サイト）５００の機能構成図である。置時計１は、ＣＰＵ７、このＣＰＵ７の各種機能を実現するためのプログラムなどを記憶したＲＯＭ８、撮像部９、ＲＡＭ１０、入力部１１、分割画像ＲＡＭ１２、送受信部１９、時計部１３、画像合成部１４を備えるとともに、距離測定部１６、ＧＰＳ受信部１７、前記スピーカ１５を有する放音部１８および前記液晶表示部２を備える。また、ＣＰＵ７は、後述する時刻表示部画像を検出する時刻表示部用検出部７１、および撮影画像を取得する画像取得部７２を備える。なお、時刻表示部用検出部７１、および画像取得部７２は、ＲＯＭ８に記憶されたプログラムを実行することによりＣＰＵ７で機能するものとする。
【００２５】
入力部１１は、前記シャッターキー４、機能キー５、スライドスイッチ６等を有し、これらキーおよびスイッチに対するユーザーの操作を検出する。
【００２６】
送受信部１９には、インターネットを介してサーバー５００にデータを送信する送信部１９１、サーバー５００からインターネットを介して送信されるデータを受信する受信部１９２が設けられている。ＧＰＳ受信部１７は、測地衛星からのＬ１帯のＣ／Ａコードを受信して復調・解読し現在位置の緯度・経度を割り出すものであり、ＧＰＳ受信部１７により割り出された緯度・経度の情報はＣＰＵ７に取り込まれる。距離測定部１６は、撮像部９が建造物等の被写体を撮像する際に、撮影機能を備えている置時計１から撮影された被写体までの距離を測定するものである。
【００２７】
分割画像ＲＡＭ１２には、時刻表示部画像メモリ１２１と背景画像メモリ１２２とが設けられている。時刻表示部画像メモリ１２１は、撮影された画像（撮影画像）に含まれている時刻表示部画像を記憶するとともに、撮影画像中における時刻表示部画像の位置を示す座標を記憶する。背景画像メモリ１２２は、撮影画像から前記時刻表示部画像を除いた背景画像を記憶する。
【００２８】
撮像部９は、前記レンズ部３、およびレンズ部３の光軸上に配置されたＣＣＤまたはＣＭＯＳ等を有し、レンズ部３により被写体画像（イメージ）を結像し、ＲＧＢの各色の光の強さを、電流値に変換して画像データを生成する。ＲＡＭ１０は、撮像部９により撮像されて取得された画像データを記憶するとともに、ＣＰＵ７のワークエリアとして使用される。
【００２９】
ＣＰＵ７は、ＲＯＭ８に記憶されたプログラムを実行して、単独で、または他の構成部と協働して様々な処理を行い、置時計１の各種手段、各種構成部および各種機能を実現する。
【００３０】
時刻表示部用検出部７１は、ＣＰＵ７がＲＡＭ１０から取得した撮影画像中における時刻表示部の画像である前記時刻表示部画像の検出を行う。画像取得部７２は、ＣＰＵ７により取得されて時刻表示部用検出部７１により検出が行われた画像を、時刻表示部画像と、時刻表示部画像を除去した文字板の画像とに分割させて取得する。
【００３１】
分割画像ＲＡＭ１２は、画像取得部７２により取得された時刻表示部画像を時刻表示部画像メモリ１２１に記憶し、一方、時刻表示部画像を除去した背景画像を背景画像メモリ１２２に記憶する。計時手段として機能する時計部１３は、ＣＰＵ７の指示に応じて現在の時刻を計時する。
【００３２】
合成手段として機能する画像合成部１４は、後述するようにＣＰＵ７により生成されるＲＡＭ１０に記憶されている内蔵時刻表示部画像を差し替える画像合成を行う。表示手段として機能するＣＰＵ７は、画像合成部１４によって合成された画像を、表示部としての液晶表示部２に表示する。
【００３３】
一方、図２（ｂ）に示すように、サーバー５００は、ＣＰＵ５０１、このＣＰＵ５０１の各種機能を実現するためのプログラムなどを記憶したＲＯＭ５０２、ＲＡＭ５０３、入力部５０４、受信部５０５、送信部５０６、データ編集部５０７および液晶表示部５０８を備える。
【００３４】
受信部５０５は、インターネットを介して置時計１の送信部１９１から送信されるデータを受信する。送信部５０６は、インターネットを介して置時計１の受信部１９２にデータを送信する。データ編集部５０７は、これら送受信を行うデータの編集処理を行うものである。
【００３５】
図３（ａ）は、サーバー５００が有するＲＯＭ５０２のメモリ構成図であり、同図（ｂ）は置時計１が有するＲＡＭ１０のメモリ構成図である。図３（ａ）に示すように、サーバー５００が有するＲＯＭ５０２には、時計台の名称欄５２１、時計台の画像欄５２２、時計台の場所の範囲欄５２３、および鐘の音（波形）欄５２４が対応して設けられている。時計台の名称欄５２１には、日本国内の各地に存在する時計台の名称が記憶されている。
【００３６】
時計台の画像欄５２２には、当該時計台の画像が記憶されている。時計台の場所の範囲欄５２３には、当該範囲内で撮影された建造物は対応する時計台であると判定する住所の範囲が記憶されている。また、鐘の音欄５２４には、対応する時計台が発生する鐘の音の波形データ（音データ）が記憶されている。
【００３７】
他方、図３（ｂ）に示すように、置時計１のＲＡＭ１０には、時計台の名称欄１０１、時計台の画像欄１０２、時計台の場所欄１０３、時計台までの距離欄１０４、および鐘の音（波形）欄１０５が対応して設けられている。時計台の名称欄５２１には、撮像部９により撮像された画像に基づいてサーバー５００から送信された時計台の名称が記憶される。時計台の画像欄１０２には撮像部９により撮像された時計台の画像が記憶される。時計台の場所欄１０３には、撮像部９により撮像された時計台の場所が、ＧＰＳ受信部１７により取得された撮影位置の経度・緯度により記憶される。また、時計台までの距離欄１０４には、撮像部９による撮像時において、距離測定部１６によって測定された前記撮影位置から時計台までの距離が記憶される。また、鐘の音（波形）欄１０５には、サーバー５００のＲＯＭ５０２における鐘の音欄５２４からダウンロードした対応する時計台が発生する鐘の音の波形データ（音データ）が記憶される。
【００３８】
また、置時計１側のＲＯＭ８には、図４に示すテーブル８０１が記憶されている。このテーブル８０１には、針式（アナログ）欄８０２と、数字式（デジタル）欄８０３とが設けられている。
【００３９】
針式（アナログ）欄８０２には、パターン１、２、３に対応して、時針（Ｈ１）の長さＬ１と分針（Ｈ２）の長さＬ２の比率に対応した針画像が記憶されている。
【００４０】
たとえば、針式（アナログ）のパターン１は、時針の長さ「２」に対して分針の長さの比率が「８」である針式で時刻を表示する針画像である。パターン２は、時針の長さ「３」に対して分針の長さの比率が「７」である針式で時刻を表示する針画像あり、パターン３は、時針の長さ「４」に対して分針の長さの比率が「６」である針式で時刻を表示する針画像ある。
【００４１】
また、各パターン１、２、３には、当該比率の長さからなる時針と分針との針画像を含み、１２時０分から１１時５９分までの時刻を表す内蔵時刻表示部画像、つまり１２×６０＝７２０種の、分単位での時刻別の内蔵時刻表示部画像が各々記憶されている。
【００４２】
数字式（デジタル）欄１０２には、パターン１、２、３・・・２４に対応して、時を表す数字「００」〜「２３」が記憶され、かつパターン１、２、３・・・６０に対応して、分を表す数字「００」〜「５９」の時刻画像が記憶されている。したがって、時を表す数字「００」〜「２３」と、分を表す数字「００」〜「５９」との時刻画像の組合せにより、「００：００」から「２３：５９」までの、２４×６０＝１４４０種の時刻を表すことが可能である。
【００４３】
以上の構成に係る本実施の形態において、置時計１はＣＰＵ７がＲＡＭ１０に格納されているプログラムに従って処理を実行することにより、図５（ａ）のフローチャートに示す処理を実行する。すなわち、撮影・絵画風変換表示処理（ステップＡ１）、情報取得・データ送信処理（ステップＡ２）、データ受信処理（ステップＡ３）、および鐘音発生等処理（ステップＡ４）を順次実行する。
【００４４】
また、サーバー５００は、図５（ｂ）のフローチャートに示すように、情報取得・データ受信処理（ステップＢ１）、データ編集処理（ステップＢ２）、およびデータ送信処理（ステップＢ３）を順次実行する。
【００４５】
図６は、置時計１側で実行される前記撮影・絵画風変換表示処理（ステップＡ１）の詳細を示すフローチャートである。すなわち、ユーザーがこの置時計１を携帯して、例えば図７（ａ）に示す時計台５０にレンズ部３を向けてシャッターキー４を押下すると、ＣＰＵ７は撮影処理を実行する（ステップＡ１１）。この撮影処理より、撮像部９はレンズ部３により結像されている被写体画像を取り込んで撮影画像とし、この撮影画像をＲＡＭ１０に格納する（ステップＡ１２）。
【００４６】
これにより、図３（ｂ）に示すように、例えば時計台の画像ＡＧ２がＲＡＭ１０の時計台の画像欄１０２に格納される。
【００４７】
引き続き、ＣＰＵ７は液晶表示部２を駆動して、撮影画像を液晶表示部２に表示させる（ステップＡ１３）。このステップＡ１３での処理により、図７（ａ）に示すように、時計台５０を主要被写体とする撮影画像５１が液晶表示部２に表示される。
【００４８】
次に、この撮影画像５１を絵画風画像に変換する変換処理を実行する（ステップＡ１４）。このステップＡ１４における絵画風画像への撮影画像の変換処理は、従来周知のいずれの変換処理方法を用いてもよい。
【００４９】
例えば、特開２００４−２１３５９８号に開示されている技術を採用することにより、予めＲＯＭ８に記憶しておいた特定の画家の画像である画家画像の色彩や筆触を抽出して、それを撮影画像５１に付与し、絵画風画像に変換する。絵画風画像への変換は、撮影画像５１を画家画像の色彩に疑似させる手順と、画家画像から、その筆触特徴を抽出する手順と、色彩を疑似させた画像からテクスチャの方向や強さを解析する手順と、解析結果に基づいて抽出した筆触を配置する手順と、を含む。
【００５０】
色彩を疑似させる手順は、画家画像から代表的な色の集合を作成し、また撮影画像５１からも代表的な色の集合を作成する。前記色の集合作成とは、色彩情報を色空間上にプロットし、画像に使用されているすべての色の中から多く使用されているものを選択し取り出すことである。撮影画像５１の色集合と、画家画像の色集合を比較し、疑似化して再彩色を行う事で、撮影画像５１を、色彩を模した絵画風画像に変換する。
【００５１】
あるいは、特開昭６０−１９８６８７号の開示されている技術や特開昭６１−１５００７７号公報に開示されている技術を用いて、撮影画像５１を油絵のような画像に変換してもよいし、特開昭６１−２２１８７８号公報に開示されている技術を用いて、撮影画像５１を水墨画のような画像に変換してもよい。
【００５２】
このステップＡ１４での変換処理により、図７（ｂ）に示すように、絵画風画像５２が生成され、液晶表示部２に表示されることとなる。
【００５３】
次に、時刻表示部画像の認識処理を実行する（ステップＡ１５）。 図８は、このステップＡ１５での時刻表示部画像の認識処理の詳細を示すフローチャートである。
【００５４】
先ず、撮影画像５１中に円画像があるか否かを判断する（ステップＡ２１）。図９（ｂ）の部分拡大図に示すように、撮影画像５１中に円画像Ｒがある場合には、ステップＡ２１の判断がＹＥＳとなる。したがって、ステップＡ２１からステップＡ２２に進み、円画像の内側に長さの異なる２本の針画像（Ｈ１、Ｈ２）があるか否かを判断する。
【００５５】
図９（ｂ）の部分拡大図に示すように、円画像Ｒの内側に長さの異なる２本の針画像Ｈ１、Ｈ２がある場合には、ステップＡ２２の判断がＹＥＳとなる。したがって、ステップＡ２２からステップＡ２３に進み、２本の針画像Ｈ１、Ｈ２の比率を算出する。しかる後に、この算出した２本の針画像Ｈ１、Ｈ２の長さの比率に対応するＲＯＭ８に記憶されている円画像の内蔵時刻表示画像を特定する。
【００５６】
すなわち、図９（ｂ）に示すように、時針Ｈ１の長さがＬ１であり、分針Ｈ２の長さがＬ２であり、時針の長さＬ１に対する分針の長さＬ２の比が２：８であったとすると、この比率は、図４に示したテーブル８０１において、パターン１の内部時刻表示部画像に対応する。したがって、ステップＡ２４においては、このパターン１である内部時刻表示部画像（Ｎ１）を、使用する時刻表示部画像として特定する。
【００５７】
他方、ステップＡ２１の判断がＮＯであって、撮影画像中に円画像がない場合には、ステップＡ２１からステップＡ２５に進み、撮影画像中に枠画像があるか否かを判断する。図１０（ａ）に示すように、撮影画像中に枠画像Ｗがある場合には、枠画像Ｗの内側に、複数の数字Ｓ１、Ｓ２、Ｓ３と当該数字の間に、「：」のコロンＣ１とがあるか否かを判断する（ステップＡ２６）。
【００５８】
図１０（ａ）に示した例の場合、枠画像Ｗの内側に、複数の数字Ｓ１、Ｓ２、Ｓ３と当該数字の間に、コロンＣ１とがあるので、ステップＡ２６の判断はＹＥＳとなる。したがって、ステップＡ２６からステップＡ２７に進み、数字Ｓ１、Ｓ２、Ｓ３、コロンＣ１に対応するＲＯＭ８の内蔵時刻表示部画像を、使用する時刻表示部画像として特定する。つまり、テーブル８０１において、数字式（デジタル）欄１０３に記憶されている内蔵時刻表示部画像を使用する時刻表示部画像として特定する。これにより、図１０（ｂ）に示すように、時刻をデジタル表示する内蔵時刻表示部画像Ｍ１が使用する時刻表示部画像として決定されることとなる。
【００５９】
他方、図６のフローチャートにおいて、ステップＡ１５に続くステップＡ１６では、撮影画像中における認識した時刻表示部画像の位置を示す位置座標を検出してＲＡＭ１０に記憶する。このとき時刻表示部画像の位置座標は、時刻表示部画像が円画像を有するものである場合には（ステップＡ２１；ＹＥＳ）、円画像の上下左右の４点の位置座標を検出して記憶し、時刻表示部画像が枠画像を有するものである場合には（ステップＡ２５；ＹＥＳ）、枠画像の四隅の４点の位置座標を検出して記憶する。
【００６０】
なお、円画像の中心部の位置座標のみ、あるいは枠画像の中心部の位置座標のみを検出して記憶するようにしてもよい。
【００６１】
次に、このステップＡ１６でＲＡＭ１０に記憶した位置座標に基づき、絵画風画像の時刻表示部画像を、前記ステップＡ２４またはステップＡ２７で特定した内蔵時刻表示部画像に差し替える（ステップＡ１７）。したがって、このステップＡ１７での処理により、図１１（ａ）（ｂ）に示すように、例えば内部時刻表示部画像Ｎ１が、絵画風画像５２の時刻表示部画像５３に差し替えられる。
【００６２】
さらに、内部時刻表示部画像（Ｎ１）を時計部１３が計時する現在時刻に従って順次差し替えつつ、絵画風画像を液晶表示部２の上部の領域であるクロック表示部に貼り付けて表示させる（ステップＡ１８、１９）。これにより、図１１（ｃ）および図１（ａ）に示すように、液晶表示部２には、現在時刻に従って時針Ｈ１と分針Ｈ２とが運針する状態を示す時刻表示部画像５３を含む絵画風画像５２が表示され続けられる。
【００６３】
したがって、原画像である撮影画像の一部に時間の経過に従って動く動的部分が存在する場合、当該動的部分が時間の経過に従って変化する絵画風画像であって、静止画としても、動画としても鑑賞して楽しむことができ、面白みがある画像を生成して、表示することができる。しかも、時刻表示部画像５３は時針Ｈ１と分針Ｈ２とを含む針画像Ｎ１を順次差替えて表示することにより、現在時刻を表示することから、電子時計機能を備え、実用的にも充分な絵画風画像を表示することができる。
【００６４】
より具体的には、アナログ時計を有する時計台を撮影すると、撮影された撮影画像を自動的に絵画風画像に変換することができ、かつ、変換された絵画風画像の中で実時刻を刻む実時間時刻表示部（クロック）を得ることができる。
【００６５】
しかも、絵画の中で実時刻を刻む実時間時刻表示部（クロック）における時針Ｈ１と分針Ｈ２との長さの比率は、撮影画像における時刻表示部画像の時針Ｈ１と分針Ｈ２との長さの比率と対応する。よって、絵画風画像において、違和感なく実時刻を刻むアナログ方式の実時間時刻表示を行うことができる。
【００６６】
無論、時刻表示部画像がデジタル表示であった場合も同様であり、原画像である撮影画像の一部に時間の経過に従って動く動的部分が存在する場合、当該動的部分が時間の経過に従って変化する絵画風画像であって、静止画としても、動画としても鑑賞して楽しむことができ、面白みがある画像を生成して、表示することができる。このとき、時刻表示部画像は数値により、現在時刻を表示することから、実用的にも充分な絵画風画像を生成して表示することができる。
【００６７】
より具体的には、デジタル時計を有するタワーやビルを撮影すると、撮影された撮影画像を自動的に絵画風画像に変換することができ、かつ、変換された絵画風画像の中で実時刻を刻むデジタル方式の実時間時刻表示部（クロック）を得ることができる。
【００６８】
なお、本実施の形態においては、図４のフローチャートにおいてステップＡ１３に次いでステップＡ１４の絵画風画像への撮影画像の変換処理を行うようにした。しかし、ステップＡ１９の処理に次いでステップＡ１４の絵画風画像への撮影画像の変換処理を行うようにしてもよい。つまり、ステップＡ１９で撮影画像の時刻表示部画像を現在時刻に従って順次差し替え、差し替えた後に、撮影画像を風景画像に変換して表示するようにしてもよい。
【００６９】
図１２は、置時計１側で実行される前記情報取得・データ送信処理（ステップＡ２）の詳細を示すフローチャートである。
【００７０】
すなわち、前記ステップＡ１１で撮影処理を実行した際にＧＰＳ受信部１７により取得した撮影位置をＲＡＭ１０の時計台の場所欄１０３に格納する（ステップＡ３１）。また、前記ステップＡ１１で撮影処理を実行した際に距離測定部１６での測定により取得した撮影位置から時計台までの距離をＲＡＭ１０の時計台までの距離欄１０４に格納する。
【００７１】
したがって、ステップＡ１１での撮影処理、ステップＡ３１でのＧＰＳ情報取得処理、ステップＡ３２でのＨ９距離情報取得処理が完了することにより、図３（ｂ）に示すように、置時計１のＲＡＭ１０には、
・時計台の画像欄１０２には時計台の画像「ＡＧ２」格納され、
・時計台の場所欄１０３には撮影位置を示す「札幌市ＡＡＡ番地（経度・緯度）」が格納され、
・時計台までの距離欄１０４には、撮影位置から当該時計台までの距離「１０ｍ」が格納されることとなる。
【００７２】
そして、ステップＡ３２に続くステップＡ３３においては、
（１）ＲＡＭ１０内の時計台の場所欄１０３に格納された位置情報「札幌市ＡＡＡ番地（経度・緯度）」と、
（２）時計台までの距離欄１０４に格納された撮影位置から当該時計台までの距離情報「１０ｍ」と、
をサイト（サーバー５００）に送信する。
【００７３】
図１３（ａ）は、サーバー５００側で実行される前記情報取得・データ受信処理（ステップＢ１）の詳細を示すフローチャートである。すなわち、サーバー５００は、前述のステップＡ３３で置時計１から送信されてきた（１）ＧＰＳ位置情報（「札幌市ＡＡＡ番地（経度・緯度）」）と、（２）距離情報（「１０ｍ」）とを受信して、ＲＡＭ５０３に記憶する。
【００７４】
図１３（ｂ）は、サーバー５００側で実行される前記データ編集処理（ステップＢ２）の詳細を示すフローチャートである。
【００７５】
すなわち、サーバー５００は、受信済みのＧＰＳ位置情報、距離情報（「１０ｍ」）とに対応する時計台の名称、鐘の音の音データなどをＲＯＭ５０２から読み出す（ステップＢ２１）。
【００７６】
ここで、前述のようにサーバー５００がＧＰＳ位置情報として「札幌市ＡＡＡ番地（経度・緯度）」を受信し、距離情報として「１０ｍ」を受信したとする。すると、図３（ａ）のＲＯＭ５０２において、これらＧＰＳ位置情報と距離情報とに対応する時計台は、「「札幌市ＡＡＡ番地（経度１２３−緯度４５６）から半径１ｋｍ以内」である時計台の名称「Ａ（札幌の時計台）」である。また、「Ａ（札幌の時計台）」の鐘の音（波形）として「ＡＦ」が記憶されている。したがって、サーバー５００は、これら対応する時計台の名称「Ａ（札幌の時計台）」や鐘の音（波形）「ＡＦ」を読み出す。
【００７７】
図１３（ｃ）は、サーバー５００側で実行される前記データ送信処理（ステップＢ３）の詳細を示すフローチャートである。すなわち、サーバー５００は、前記ステップＢ２１で読み出された時計台の名称、鐘の音などをユーザの置時計１へ送信する（ステップＢ３１）。したがって、前述した例の場合、時計台の名称「Ａ（札幌の時計台）」、鐘の音（波形）「ＡＦ」等がユーザの置時計１に送信されることとなる。
【００７８】
図１４（ａ）は、置時計１側で実行される前記データ受信処理（ステップＡ３）の詳細を示すフローチャートである。
【００７９】
すなわち、前記ステップＢ３１でサーバー５００側から送信された時計台の名称、鐘の音などを受信する（ステップＡ４１）。したがって、前述した例の場合、サーバー５００側から送信された時計台の名称「Ａ（札幌の時計台）」、鐘の音（波形）「ＡＦ」等がユーザの置時計１により受信されることとなる。
【００８０】
図１４（ｂ）は、置時計１側で実行される前記鐘音発生等処理（ステップＡ４）の詳細を示すフローチャートである。
【００８１】
すなわち、時計部１３が計時している現在時刻を取得して、ＲＡＭ１０に格納する（ステップＡ５１）。これにより、図３（ｂ）の最下欄に示すように現在時刻として、例えば「ＡＭ１０：００」が書き込まれることとなる。
【００８２】
次に、ＲＡＭ１０内に格納した時計台の名称などを液晶表示部２の下部に表示させる（ステップＡ５２）。これにより、図１（ａ）に示すように、液晶表示部２の上部には、例えば内部時刻表示部画像Ｎ１が、時刻表示部画像５３に差し替えられた絵画風画像５２が表示される一方、液晶表示部２の下部には、例えば「名称：札幌の時計台」「時計台までの距離：１０ｍ」「撮影日２０１０．０９．０１」が表示されることとなる。
【００８３】
したがって、鑑賞者は、これら表示による情報を参照しながら絵画風画像５２を観賞することができる。
【００８４】
次に、時計部１３から取得した現在時刻が予め定められている時刻になったか否かを判断する（ステップＡ５３）。ここで、予め定められている時刻とは、１時、２時、３時・・・等の正時である。そして、現在時刻が予め定められている時刻（例えば正時）となったならば、鐘の音を発生させる（ステップＡ５４）。
【００８５】
このステップＡ５４での鐘の音の発生処理に際しては、ＲＡＭ１０に読み込んである鐘の音の波形データを読み出し、この波形データに基づく音を放音部１８にて再生し、これを増幅してスピーカ１５から時刻に応じた数で発生させる。したがって、本実施の形態によれば、視覚的に楽しむことができるのみならず、聴覚的にも楽しむことができ、さらに、実用性をも備える画像表示装置および画像表示方法を提供することができる。
【００８６】
より具体的には、鐘の音を発生させる時計台を撮影すると、撮影された時計台の撮影画像を自動的に絵画風画像に変換して表示することができ、かつ、撮影された時計台が発生させる鐘の音で時刻を報知することができる。
【００８７】
また、ステップＡ５４での鐘の音の発生処理に際しては、時計台までの距離欄１０４に記憶されている距離に反比例した音量で、スピーカ１５から鐘の音を発生させる。したがって、時計台の近くで当該時計台を撮影した場合には、大きな音量で鐘の音が発生し、時計台の遠くで当該時計台を撮影した場合には、小さな音量で鐘の音が発生する。これによりユーザは、恰も自己が撮影時の場所にいるような臨場感を得ることができる。
【００８８】
（第２実施の形態）
図１５は、本発明の第２の実施の形態における置時計１とサーバー５００の処理手順を示すフローチャートである。
【００８９】
前述した第１の実施の形態が撮影された時計台の画像を絵画風画像に変換して表示する構成であるのに対し、この第２の実施の形態は撮影された時計台の画像を絵画風画像に変換することなく表示するようにしたものである。
【００９０】
置時計１は、ＣＰＵ７がＲＡＭ１０に格納されているプログラムに従って処理を実行することにより、図１５（ａ）のフローチャートに示す処理を実行する。図１５（ａ）のフローチャートにおいて、ステップＡ１０１を除く他のステップＡ１０２〜Ａ１０４は、図５に示した第１の実施の形態におけるステップＡ２〜Ａ４と同一である。また、サーバー５００は、図１５（ｂ）のフローチャートに示すように、ステップＢ１０１〜Ｂ１０３の処理を実行するが、これら図５に示した第１の実施の形態におけるステップＢ１〜Ｂ３と同一である。
【００９１】
つまり、図１５のフローチャートにおいては、ステップＡ１０１のみが第１の実施の形態におけるステップＡ１とは異なり、絵画変換処理を行うことなく、撮影・表示処理のみを行う。
【００９２】
図１６は、第２の実施の形態で実行される前記撮影・表示処理（ステップＡ１０１）の詳細を示すフローチャートである。
【００９３】
すなわち、ユーザーがこの置時計１を携帯して、例えば図７に示す時計台５０にレンズ部３を向けてシャッターキー４を押下すると、ＣＰＵ７は撮影処理を実行する（ステップＡ１１１）。この撮影処理より、撮像部９はレンズ部３により結像されている被写体画像を取り込んで撮影画像とし、この撮影画像をＲＡＭ１０に格納する（ステップＡ１１２）。
【００９４】
これにより、図３（ｂ）に示すように、例えば時計台の画像ＡＧ２がＲＡＭ１０の時計台の画像欄１０２に格納される。
【００９５】
引き続き、ＣＰＵ７は液晶表示部２を駆動して、撮影画像を液晶表示部２に表示させる（ステップＡ１１３）。このステップＡ１３での処理により、図７（ａ）に示すように、時計台５０を主要被写体とする撮影画像５１が液晶表示部２に表示される。
【００９６】
次に、時刻表示部画像の認識処理を実行する（ステップＡ１１４）。なお、このこのステップＡ１１４での時刻表示部画像の認識処理の詳細は、図８に示した第１の実施の形態と同様の処理である。
【００９７】
また、図１６のフローチャートにおいて、ステップＡ１１４に続くステップＡ１１５では、撮影画像中における認識した時刻表示部画像の位置を示す位置座標を検出してＲＡＭ１０に記憶する。このとき時刻表示部画像の位置座標は、時刻表示部画像が円画像を有するものである場合には（ステップＡ２１；ＹＥＳ）、円画像の上下左右の４点の位置座標を検出して記憶し、時刻表示部画像が枠画像を有するものである場合には（ステップＡ２５；ＹＥＳ）、枠画像の四隅の４点の位置座標を検出して記憶する。
【００９８】
なお、円画像の中心部の位置座標のみ、あるいは枠画像の中心部の位置座標のみを検出して記憶するようにしてもよい。
【００９９】
次に、このステップＡ１６でＲＡＭ１０に記憶した位置座標に基づき、撮影画像の時刻表示部画像を、前記ステップＡ２４またはステップＡ２７で特定した内蔵時刻表示部画像に差し替える（ステップＡ１１６）。
【０１００】
さらに、内部時刻表示部画像（Ｎ１）を時計部１３が計時する現在時刻に従って順次差し替えつつ、絵画風画像を液晶表示部２の上部の領域であるクロック表示部に貼り付けて表示させる（ステップＡ１１７、Ａ１１８）。これにより、液晶表示部２には、現在時刻に従って時針Ｈ１と分針Ｈ２とが運針する状態を示す時刻表示部画像５３を含む撮影風画像が表示され続けられる。
【０１０１】
そして、前述のように第２の実施の形態においても、第１の実施の形態と同様の置時計１側ではステップＡ１０２〜Ａ１０４が実行され、サーバー５００側ではステップＢ１０１〜Ｂ１０３の処理が実行される。したがって、ステップＡ１０４で鐘音発生等処理が実行されると、ＲＡＭ１０に読み込んである鐘の音の波形データを読み出し、この波形データに基づく音を放音部１８にて再生し、これを増幅してスピーカ１５から時刻に応じた数で発生させる。よって、本実施の形態によれば、視覚的に楽しむことができるのみならず、聴覚的にも楽しむことができ、さらに、実用性をも備える画像表示装置および画像表示方法を提供することができる。
【０１０２】
より具体的には、鐘の音を発生させる時計台を撮影すると、撮影された時計台の撮影画像を表示することができ、かつ、撮影された時計台が発生させる鐘の音で時刻を報知することができる。
【０１０３】
（第３の実施の形態）
図１７は、本発明の第３の実施の形態における置時計１とサーバー５００の処理手順を示すフローチャートである。
【０１０４】
前述した第１の実施の形態が、置時計１側で撮影された時計台の画像を絵画風画像に変換するのに対し、この第３の実施の形態はサーバー５００側で時計台の画像を絵画風画像に変換して、置時計１に送信するようにしたものである。
【０１０５】
置時計１はＣＰＵ７がＲＡＭ１０に格納されているプログラムに従って処理を実行することにより、図１７（ａ）のフローチャートに示す処理を実行する。図１７（ａ）のフローチャートにおいて、ステップＡ２０１〜Ａ２０３を除く他のステップＡ２０４〜Ａ２０６は、図５に示した第１の実施の形態におけるステップＡ２〜Ａ４と同一である。また、サーバー５００は、図１７（ｂ）のフローチャートに示す処理を実行する。図１７（ｂ）のフローチャートにおいて、ステップＢ２０１およびＢ２０２を除く他のステップＢ２０３〜Ａ２０５は、図５に示した第１の実施の形態におけるステップＢ１〜Ｂ３と同一である。
【０１０６】
すなわち、本実施の形態において置時計１側では、撮影・表示処理（ステップＡ２０１）、撮影画像送信処理（ステップＡ２０２）、絵画風画像受信・表示処理を実行した後、前述の第１の実施の形態と同様の情報取得・データ送信処理（ステップＡ２０４）、データ受信処理（ステップＡ２０５）、および鐘音発生等処理（ステップＡ２０６）を順次実行する。
【０１０７】
図１８は、第３の実施の形態で実行される前記撮影・表示処理（ステップＡ２０１）の詳細を示すフローチャートである。
【０１０８】
すなわち、ユーザーがこの置時計１を携帯して、例えば図７（ａ）に示す時計台５０にレンズ部３を向けてシャッターキー４を押下すると、ＣＰＵ７は撮影処理を実行する（ステップＡ２１１）。この撮影処理より、撮像部９はレンズ部３により結像されている被写体画像を取り込んで撮影画像とし、この撮影画像をＲＡＭ１０に格納する（ステップＡ２１２）。
【０１０９】
これにより、図３（ｂ）に示すように、例えば時計台の画像ＡＧ２がＲＡＭ１０の時計台の画像欄１０２に格納される。
【０１１０】
引き続き、ＣＰＵ７は液晶表示部２を駆動して、撮影画像を液晶表示部２に表示させる（ステップＡ２１３）。このステップＡ１３での処理により、図７（ａ）に示すように、時計台５０を主要被写体とする撮影画像５１が液晶表示部２に表示される。
【０１１１】
次いで、置時計１はステップＡ２０２の撮影画像送信処理により、前記撮影画像５１をサーバー５００に送信する。すると、サーバー５００は、撮影画像受信処理を行って（ステップＢ２０１）、置時計１から送信された撮影画像５１を受信する。
【０１１２】
しかる後に、サーバー５００を絵画風変換・送信処理を実行する（ステップＢ２０２）。このステップ８２０２における絵画風画像への撮影画像の変換処理は、第１の実施の形態と同様に、従来周知のいずれの変換処理方法を用いてもよい。
【０１１３】
例えば、特開２００４−２１３５９８号に開示されている技術を採用することにより、予めＲＯＭ８に記憶しておいた特定の画家の画像である画家画像の色彩や筆触を抽出して、それを撮影画像５１に付与し、絵画風画像に変換する。絵画風画像への変換は、撮影画像５１を画家画像の色彩に疑似させる手順と、画家画像から、その筆触特徴を抽出する手順と、色彩を疑似させた画像からテクスチャの方向や強さを解析する手順と、解析結果に基づいて抽出した筆触を配置する手順と、を含む。
【０１１４】
色彩を疑似させる手順は、画家画像から代表的な色の集合を作成し、また撮影画像５１からも代表的な色の集合を作成する。前記色の集合作成とは、色彩情報を色空間上にプロットし、画像に使用されているすべての色の中から多く使用されているものを選択し取り出すことである。撮影画像５１の色集合と、画家画像の色集合を比較し、疑似化して再彩色を行う事で、撮影画像５１を、色彩を模した絵画風画像に変換する。
【０１１５】
あるいは、特開昭６０−１９８６８７号の開示されている技術や特開昭６１−１５００７７号公報に開示されている技術を用いて、撮影画像５１を油絵のような画像に変換してもよいし、特開昭６１−２２１８７８号公報に開示されている技術を用いて、撮影画像５１を水墨画のような画像に変換してもよい。
【０１１６】
このステップＡ１４での変換処理により、図７（ｂ）に示すように、絵画風画像５２が生成され、置時計１に送信されることとなる。すると、置時計１は、絵画風画像受信・表示処理を実行する（ステップＡ２０３）。
【０１１７】
図１９は、絵画風画像受信・表示処理（ステップＡ２０３）の詳細を示すフローチャートである。置時計１は、サーバー５００から送信されてくる前記絵画風画像５２を受信して液晶表示パネル３１に表示する（ステップＡ２２１）。
【０１１８】
次に、時刻表示部画像の認識処理を実行する（ステップＡ２２２）。なお、このステップＡ２２２での時刻表示部画像の認識処理の詳細は、図８に示した第１の実施の形態と同様の処理である。
【０１１９】
そして、図１９のフローチャートにおいて、ステップＡ２２２に続くステップＡ２２３では、撮影画像中における認識した時刻表示部画像の位置を示す位置座標を検出してＲＡＭ１０に記憶する。このとき時刻表示部画像の位置座標は、時刻表示部画像が円画像を有するものである場合には（ステップＡ２１；ＹＥＳ）、円画像の上下左右の４点の位置座標を検出して記憶し、時刻表示部画像が枠画像を有するものである場合には（ステップＡ２５；ＹＥＳ）、枠画像の四隅の４点の位置座標を検出して記憶する。
【０１２０】
なお、円画像の中心部の位置座標のみ、あるいは枠画像の中心部の位置座標のみを検出して記憶するようにしてもよい。
【０１２１】
次に、このステップＡ１６でＲＡＭ１０に記憶した位置座標に基づき、絵画風画像の時刻表示部画像を、前記ステップＡ２４またはステップＡ２７で特定した内蔵時刻表示部画像に差し替える（ステップＡ２２４）。したがって、このステップＡ２２４での処理により、図１１（ａ）（ｂ）に示すように、例えば内部時刻表示部画像Ｎ１が、絵画風画像５２の時刻表示部画像５３に差し替えられる。
【０１２２】
さらに、内部時刻表示部画像（Ｎ１）を時計部１３が計時する現在時刻に従って順次差し替えつつ、絵画風画像を液晶表示部２の上部の領域であるクロック表示部に貼り付けて表示させる（ステップＡ２２５、２２６）。これにより、図１１（ｃ）および図１（ａ）に示すように、液晶表示部２には、現在時刻に従って時針Ｈ１と分針Ｈ２とが運針する状態を示す時刻表示部画像５３を含む絵画風画像５２が表示され続けられる。
【０１２３】
そして、この第３の実施の形態においても、前述のように第１の実施の形態と同様の置時計１側ではステップＡ２０４〜Ａ２０６が実行され、サーバー５００側ではステップＢ２０３〜Ｂ２０６の処理が実行される。したがって、ステップＡ２０６で鐘音発生等処理が実行されると、ＲＡＭ１０に読み込んである鐘の音の波形データを読み出し、この波形データに基づく音を放音部１８にて再生し、これを増幅してスピーカ１５から時刻に応じた数で発生させる。したがって、本実施の形態によれば、視覚的に楽しむことができるのみならず、聴覚的にも楽しむことができ、さらに、実用性をも備える画像表示装置および画像表示方法を提供することができる。
【０１２４】
より具体的には、たとえば、時計台等の鐘の音を発生させる建造物を撮影すると、撮影された建造物の撮影画像を自動的に絵画風画像に変換して表示することができ、かつ、撮影された建造物が発生させる鐘の音で時刻を報知することができる。
【０１２５】
あるいは、時計台等の鐘の音を発生させる建造物を撮影すると、撮影された建造物の撮影画像を表示することができ、かつ、撮影された建造物が発生させる鐘の音で時刻を報知することができる。
【０１２６】
しかも、絵画風画像への変換は、置時計１側で行われることなく、サーバー５００側で行われることから、置時計１の処理負担を少なくすることもできる。
【０１２７】
なお、本実施の形態においては、本発明を置時計に適用した場合を示したが、置時計に限らず、携帯電話、デジタルカメラ等の他の機器に適用するようにしてもよい。
【０１２８】
また、本実施の形態においては、機器である置時計が撮像部を有するものとしたが、機器自体は撮像部を有することなく、他の機器で撮像された画像を取得して記憶する構成であってもよい。さらに、実施の形態においては、鐘の音を発生させる建造物として時計台を例にして説明したが、これに限ることなく寺院、礼拝堂等，鐘の音を発生させる他の建造物を撮影対象し得ることは勿論である。
【符号の説明】
【０１２９】
１    置時計
２    液晶表示部
４    シャッターキー
５    機能キー
６    スライドスイッチ
７    ＣＰＵ
８    ＲＯＭ
９    撮像部
１０    ＲＡＭ
１１    入力部
１２    分割画像ＲＡＭ
１３    時計部
１４    画像合成部
１５    スピーカ
１６    距離測定部
１７    ＧＰＳ受信部
１８    放音部
１９    送受信部
３１    液晶表示パネル
５０    時計台
５１    撮影画像
５２    絵画風画像
５００    サーバー
５０１    ＣＰＵ
５０２    ＲＯＭ
５０３    ＲＡＭ
５０４    入力部
５０５    受信部
５０６    送信部
５０７    データ編集部
５０８    液晶表示部
【図２】
2012093923.tif 000003
【図３】
2012093923.tif 000004
【図４】
2012093923.tif 000005
【図５】
2012093923.tif 000006
【図６】
2012093923.tif 000007
【図８】
2012093923.tif 000008
【図９】
2012093923.tif 000009
【図１０】
2012093923.tif 000010
【図１２】
2012093923.tif 000011
【図１３】
2012093923.tif 000012
【図１４】
2012093923.tif 000013
【図１５】
2012093923.tif 000014
【図１６】
2012093923.tif 000015
【図１７】
2012093923.tif 000016
【図１８】
2012093923.tif 000017
【図１９】
2012093923.tif 000018
【図１】
2012093923.tif 000019
【図７】
2012093923.tif 000020
【図１１】
2012093923.tif 000021